【事件の表示】
　特願２０１６−１４４２３８「光学的情報読取装置」拒絶査定不服審判事件〔平成２９年　３月１６日出願公開，特開２０１７−　５４４９２，請求項の数（８）〕について，次のとおり審決する。
【結　論】
　原査定を取り消す。
　本願の発明は，特許すべきものとする。
【理　由】
第１　手続の経緯
　本願は，平成２８年７月２２日（優先権主張：平成２７年９月７日）の出願であって，令和１年６月２８日付けで拒絶理由通知がされ，令和１年８月３０日付けで手続補正がされ，令和１年１１月２５日付けで拒絶査定（原査定）がされ，これに対し，令和２年３月２日に拒絶査定不服審判の請求がされると同時に手続補正がされ，令和２年５月２５日付けで前置報告がされたものである。
第２　原査定の概要
　原査定（令和１年１１月２５日付け拒絶査定）の概要は次の通りである。
１．本願請求項２−３に係る発明は，以下の引用文献１に基づいて，本願請求項４に係る発明は，以下の引用文献１−２に基づいて，本願請求項５−８に係る発明は，以下の引用文献３−４に基づいて，その発明の属する技術の分野における通常の知識を有する者（以下，「当業者」という。）が容易に発明できたものであるから，特許法第２９条第２項の規定により特許を受けることができない。
引用文献等一覧
１．特開２００１−６７４３２号公報
２．特開２００９−４２８２０号公報
３．特開２００６−３３０９８７号公報
４．特開２０１３−６１５８７号公報
第３　審判請求時の補正について
　審判請求時の補正は，特許法第１７条の２第３項から第６項までの要件に違反しているものとはいえない。
　審判請求時の補正によって請求項２に「前記マーカ光照射部は、」「前記マーカ光が前記反射ミラーの周囲から当該反射ミラーの外縁に向かって近づくように配置され」という事項を追加する補正は，補正前の発明特定事項である「マーカ光照射部」の配置を限定するものであるから，特許請求の範囲の減縮を目的とするものであり，また，段落【００３１】，【００３２】，【００３５】，【００４２】−【００４５】，第２−３，５−６図等に記載されているから，新規事項を追加するものではないといえる。
　審判請求時の補正によって請求項５に「撮像コードを二次元的に撮像可能なエリアセンサとして構成される受光センサ」という事項を追加する補正は補正前の発明特定事項である「受光センサ」を限定するものであるから，特許請求の範囲の減縮を目的とするものであり，また，段落【００２２】等に記載されているから，新規事項を追加するものではないといえる。
　そして，「第４　本願発明」から「第６　対比・判断」までに示すように，補正後の請求項１−８に係る発明は，独立特許要件を満たすものである。
第４　本願発明
　本願請求項１−８に係る発明（以下，それぞれ「本願発明１」−「本願発明８」という。）は，令和２年３月２日付けの手続補正で補正された特許請求の範囲の請求項１−８に記載された事項により特定される発明であり，以下のとおりの発明である。
「【請求項１】
　情報コードを撮像可能な受光センサと、
　読取口を介した前記情報コードからの反射光を前記受光センサに向けて反射する反射ミラーと、
　前記反射ミラーにより反射された光を集光して前記受光センサに結像させる結像レンズと、
　前記受光センサによる撮像範囲の中心を示すためのマーカ光を照射するマーカ光照射部と、
　を備え、
　前記マーカ光照射部は、前記読取口に対して前記反射ミラーよりも離れた位置に設けられて、前記マーカ光の光軸が前記受光センサによる撮像範囲の中心となる光軸に対して平行であって、前記マーカ光が前記反射ミラーの外縁に近づくように配置され、
　前記反射ミラーは、反射面の全面が前記受光センサによる撮像範囲に一致するように形成されることを特徴とする光学的情報読取装置。
【請求項２】
　情報コードを撮像可能な受光センサと、
　読取口を介した前記情報コードからの反射光を前記受光センサに向けて反射する反射ミラーと、
　前記反射ミラーにより反射された光を集光して前記受光センサに結像させる結像レンズと、
　前記受光センサによる撮像範囲の中心を示すためのマーカ光を照射するマーカ光照射部と、
　を備え、
　前記マーカ光照射部は、前記読取口に対して前記反射ミラーよりも離れた位置に設けられて、前記マーカ光の光軸が前記受光センサによる撮像範囲の中心となる光軸に対して平行であって、前記マーカ光が前記反射ミラーの周囲から当該反射ミラーの外縁に向かって近づくように配置され、
　前記反射ミラーは、前記受光センサの直上に配置されることを特徴とする光学的情報読取装置。
【請求項３】
　前記マーカ光照射部は、前記マーカ光が前記反射ミラーの外縁のうち前記結像レンズに近い縁部に対して近づくように配置されることを特徴とする請求項１または２に記載の光学的情報読取装置。
【請求項４】
　前記マーカ光照射部は、前記受光センサと同じ基板に実装され、
　前記マーカ光照射部から照射された前記マーカ光を、当該マーカ光の光軸が前記受光センサによる撮像範囲の中心となる光軸に対して平行であって前記反射ミラーの外縁に近づくように反射するマーカ光用反射ミラーを備えることを特徴とする請求項１〜３のいずれか一項に記載の光学的情報読取装置。
【請求項５】
　情報コードを二次元的に撮像可能なエリアセンサとして構成される受光センサと、
　前記情報コードからの反射光を集光して前記受光センサに結像させる結像レンズと、
　前記受光センサによる撮像範囲の中心を示すためのマーカ光を照射するマーカ光照射部と、
　前記マーカ光照射部から照射された前記マーカ光を前記受光センサによる撮像範囲に向けて反射する反射素子と、
　を備え、
　前記反射素子は、反射した前記マーカ光の光軸と前記受光センサによる撮像範囲の中心となる光軸とが平行となって近づくように、前記受光センサの撮像範囲外であって前記結像レンズに近づけられ、かつ、前記結像レンズよりも前記情報コードに近くなる位置に配置されることを特徴とする光学的情報読取装置。
【請求項６】
　前記反射素子は、入射面および出射面と、前記入射面から入射した前記マーカ光をその光軸が前記撮像範囲の中心となる光軸に対して平行となるように前記出射面に向けて内部反射する反射面とを有し、前記入射面および前記出射面の少なくとも一方に設けられる曲率に応じて前記マーカ光を集光してコリメートするコリメートレンズとして構成されることを特徴とする請求項５に記載の光学的情報読取装置。
【請求項７】
　前記反射素子は、前記出射面の曲率が前記入射面の曲率よりも大きくなるように形成されることを特徴とする請求項６に記載の光学的情報読取装置。
【請求項８】
　前記反射素子は、入射面および出射面と、前記入射面から入射した前記マーカ光をその光軸が前記撮像範囲の中心となる光軸に対して平行となるように前記出射面に向けて内部反射する反射面とを有するレンズとして構成され、
　前記出射面には、前記反射面にて内部反射された前記マーカ光を所定のパターンとなるように回折する回折光学素子が設けられることを特徴とする請求項５に記載の光学的情報読取装置。」
第５　引用文献，引用発明等
１．引用文献１について
（１）原査定の拒絶の理由に引用された引用文献１には，図面とともに次の事項が記載されている。
「【００２４】図１は実施例としての
バーコード読取装置１
ケース１２の前方下部には
読取口２２が設けられて
その読取口２２の奥には、
防塵プレートが配置されて
読取口２２を閉塞して
「【００２７】ＬＥＤ発光駆動回路２８によりＬＥＤ２６が発光すると、反射ミラー３２で反射されたその光は防塵プレートを通過して、ケース１２外部のバーコード８を照射する。そして、
バーコード８によって反射された光は、
防塵プレートからケース１２内に入り、反射ミラー３２で反射されて、
絞りを前面に備えた結像レンズ３４に入射し、結像レンズ３４を介し、さらにセンサ用ミラー３５で反射されて、光学的センサ３６にて結像され
光学的センサ３６は、
バーコード８からの反射光を受け、光の強弱を表す電気信号としてデータ処理出力ユニット側に出力する
「【００２９】次に、データ処理出力ユニットの構成を説明する。ケース１２内部のメイン基板５８（図１参照）上には、図２に示すように、波形整形部４０、メモリ４２、マイクロコンピュータ４４、およびレジスタやホストコンピュータ等の本体装置への出力回路４６が備えられている。
データ処理出力ユニットは、読取ユニットからバーコード８の読み取りデータを波形整形部４０を介して入力
「【００３１】次に、ガイド光照射用レンズ５０について説明する。
ガイド光照射用レンズ５０は、レーザダイオード３０から照射され、レーザダイオード用ミラー５２にて反射されたレーザ光を扇状に拡げ、読取可能範囲を示すライン状のガイド光をバーコード８上に照射させるためのレンズであ
「【００３９】そこで、本実施例では、上述したレーザダイオード用ミラー５２を用いることで、両光軸のずれを極力小さくしている。つまり、図６（ａ）に示すように、
バーコード８からの反射光が光学的センサ３６の受光面に結像するまでの光路を遮らないようにレーザダイオード３０を配置すると共に、センサ光軸とガイド光光軸とを極力近接するよう、レーザダイオード３０からの照射光の光路をレーザダイオード用ミラー５２にて反射させるようにし
「【００４６】なお、本実施例の場合には、バーコード読取装置１の全体形状として、いわゆる首曲がり構造を採用したため、
バーコード８からの反射光の光路
ＬＥＤ２６から照射された読取光やレーザダイオード３０から照射されたガイド光の光路
１枚の反射ミラー３２で
変更させるようにした
「
【図１（ｂ）】」
（２）したがって，上記引用文献１には次の発明（以下，「引用発明１」という。）が記載されていると認められる。
「バーコード読取装置１であって、
　ケース１２の前方下部には読取口２２が設けられており、
　その読取口２２の奥には、防塵プレートが配置されて、読取口２２を閉塞しており、バーコード８によって反射された光は、防塵プレートからケース１２内に入り、反射ミラー３２で反射されて、絞りを前面に備えた結像レンズ３４に入射し、結像レンズ３４を介し、さらにセンサ用ミラー３５で反射されて、光学的センサ３６にて結像され、
　光学的センサ３６は、バーコード８からの反射光を受け、光の強弱を表す電気信号としてデータ処理出力ユニット側に出力するものであり、
　データ処理出力ユニットは、読取ユニットからバーコード８の読み取りデータを波形整形部４０を介して入力し、
　ガイド光照射用レンズ５０は、レーザダイオード３０から照射され、レーザダイオード用ミラー５２にて反射されたレーザ光を扇状に拡げ、読取可能範囲を示すライン状のガイド光をバーコード８上に照射させるためのレンズであり、
　バーコード８からの反射光が光学的センサ３６の受光面に結像するまでの光路を遮らないようにレーザダイオード３０を配置すると共に、
　センサ光軸とガイド光光軸とを極力近接するよう、レーザダイオード３０からの照射光の光路をレーザダイオード用ミラー５２にて反射させるようにしており、
　バーコード８からの反射光の光路やＬＥＤ２６から照射された読取光やレーザダイオード３０から照射されたガイド光の光路を１枚の反射ミラー３２で変更させるようにしたバーコード読取装置１。」
２．引用文献２について
（１）原査定の拒絶の理由に引用された引用文献２には，図面とともに次の事項が記載されている。
「【００４１】このため、オフセット量ｆ（＝ｄ×ｎ／ｍ）だけマーカ光源２８から離れる方向にシフトした位置に、受光面２４ａの受光中心またはその周囲が位置するように受光センサ２４を配置することによって、図３(B) に示すように、
マーカ光源２８の発光軸ＪＭと受光センサ２４の受光軸ＪＳとが平行になるような位置関係でマーカ光源２８および受光センサ２４が光学系ユニット基板１６に実装され
「
【図５】」
（２）したがって，上記引用文献２には次の発明（以下，「引用発明２」という。）が記載されていると認められる。
「マーカ光源２８の発光軸ＪＭと受光センサ２４の受光軸ＪＳとが平行になるような位置関係でマーカ光源２８および受光センサ２４が実装される光学系ユニット基板１６。」
３．引用文献３について
（１）原査定の拒絶の理由に引用された引用文献３には，図面とともに次の事項が記載されている。
「【００２２】以下、本発明を具体化したいくつかの実施例について、図１ないし図１５を参照しながら説明する。尚、以下に述べる各実施例は、本発明を、
一次元コードとしてのバーコードを読取るハンディタイプのバーコードリーダ
「【００２４】詳しくは後述するが、前記読取機構は、図１に示すように、読取対象Ｒに向けて照明光を照射する照明手段としての照明光学系１３、
読取対象Ｒからの反射光を受光（撮像）してバーコードＢを読取る受光手段としての受光光学系１４
読取対象Ｒに対して読取位置を示すマーカ光Ｍ
を照射するマーカ光照射手段としてのマーカ光学系１５を備え
「【００２６】ここで、前記各光学系１３、１４、１５について述べる。まず、前記
受光光学系１４は
受光センサ１９と、その受光センサ１９の前方に配置された結像光学素子２０とを備えて構成されて
前記結像光学素子２０は、例えば鏡筒内に複数枚の結像レンズを配設して構成され
「【００３１】本実施例では、前記マーカ光源２４は、左側（図１で手前側）に２個が並んだＬＥＤ２１，２１のやや後方（図１で左側）にそれらの間に対応して設けられ、レーザ光Ｌを、それらＬＥＤ２１，２１間の隙間Ｓ１を通して射出する位置に配設されている。前記マーカ用レンズ部２５（光学部材２３）は、２個が並んだＬＥＤ２１，２１のやや前方に設けられている。これにて、
マーカ光源２４から発せられたレーザ光Ｌが、マーカ用レンズ部２５にて横長な帯状のマーカ光Ｍとされて読取口１２ａから前方に出射され、
読取対象Ｒに対してマーカ光Ｍが照射されるようになって
「【００３７】そこで、ユーザは、そのマーカ光Ｍが例えばバーコードＢの上下方向のほぼ中心部を横切るように本体ケース１２の位置合せを行い、トリガキー１８のオン操作を行う。すると、マーカ光Ｍが消灯された上で、今度は照明光学系１３により読取口１２ａを通してバーコードＢに横長な帯状の照明光が照射され、
バーコードＢからの反射光が読取口１２ａを通して入射されて結像光学素子２０を介して受光センサ１９上に結像され、以てバーコードＢが読取られ
                     
「【００４７】（３）第３、第４の実施例図６は、本発明の第３の実施例（請求項３に対応）を示しており、図７は、本発明の第４の実施例（請求項３に対応）を示している。これら第３、第４の実施例では、マーカ光学系４１、４２の構成が上記第１の実施例と異なっており、これら
マーカ光学系４１
は、レーザダイオードからなるマーカ光源４３から発せられたレーザ光Ｌを折曲げた後、
隙間Ｓ１を通して光学部材２３のマーカ用レンズ部２５に入射させる光路折曲部材を備えて構成されて
「【００４８】即ち、図６に示す第３の実施例の
マーカ光学系４１においては、マーカ光源４３が、結像光学素子２０の左側
に２個が並んだＬＥＤ２１，２１のやや後方下側に、上向きにレーザ光Ｌを射出するように設けられて
マーカ光源４３の上方で、それらＬＥＤ２１，２１のやや後方に、光路折曲部材としてのプリズム４４が設けられて
このプリズム４４は、傾斜面の内面側の反射面によって、マーカ光源４３から上方に発せられたレーザ光Ｌを、前方に向けて直角に折曲げ、ＬＥＤ２１，２１間の隙間Ｓ１を通して光学部材２３（マーカ用レンズ部２５）に入射させるように設けられて
「【００６７】図１５は、本発明の第１２の実施例を示しており、上記第１の実施例等と異なる点は、読取位置を示すためのマーカ光Ｍ´の照射形態にある。即ち、ここでは、
マーカ光学系により、読取対象Ｒに対し読取幅方向（バーコードＢの延びる方向）に並ぶ複数個、例えば中央部と左右両端部とを示す３個の点状（スポット光状）のマーカ光Ｍ´が照射されるようになっている
「
【図６】」
（２）したがって，上記引用文献３には，第１２の実施例として，次の発明（以下,「引用発明３」という。）が記載されていると認められる。
「一次元コードとしてのバーコードを読取るハンディタイプのバーコードリーダであって、
　読取対象Ｒからの反射光を受光（撮像）してバーコードＢを読取る受光手段としての受光光学系１４と、
　読取対象Ｒに対して読取位置を示すマーカ光Ｍを照射するマーカ光照射手段としてのマーカ光学系１５を備え、
　受光光学系１４は、受光センサ１９と、その受光センサ１９の前方に配置された結像光学素子２０とを備えて構成されており、前記結像光学素子２０は、例えば鏡筒内に複数枚の結像レンズを配設して構成され、
　マーカ光源２４から発せられたレーザ光Ｌが、マーカ用レンズ部２５にて横長な帯状のマーカ光Ｍとされて読取口１２ａから前方に出射され、読取対象Ｒに対してマーカ光Ｍが照射されるようになっており、
　バーコードＢからの反射光が読取口１２ａを通して入射されて結像光学素子２０を介して受光センサ１９上に結像され、以てバーコードＢが読取られ、
　マーカ光学系４１は、レーザダイオードからなるマーカ光源４３から発せられたレーザ光Ｌを折曲げた後、隙間Ｓ１を通して光学部材２３のマーカ用レンズ部２５に入射させる光路折曲部材を備えて構成されており、
　マーカ光学系４１においては、マーカ光源４３が、結像光学素子２０の左側に２個が並んだＬＥＤ２１，２１のやや後方下側に、上向きにレーザ光Ｌを射出するように設けられており、マーカ光源４３の上方で、それらＬＥＤ２１，２１のやや後方に、光路折曲部材としてのプリズム４４が設けられており、このプリズム４４は、傾斜面の内面側の反射面によって、マーカ光源４３から上方に発せられたレーザ光Ｌを、前方に向けて直角に折曲げ、ＬＥＤ２１，２１間の隙間Ｓ１を通して光学部材２３（マーカ用レンズ部２５）に入射させるように設けられており、
　マーカ光学系により、読取対象Ｒに対し読取幅方向（バーコードＢの延びる方向）に並ぶ複数個、例えば中央部と左右両端部とを示す３個の点状（スポット光状）のマーカ光Ｍ´が照射されるようになっているバーコードリーダ。」
４．引用文献４について
（１）原査定の拒絶の理由に引用された引用文献４には，図面とともに次の事項が記載されている。
「【００３７】なお、入射面１３及び出射面１４についても、同様に反射防止膜２０を形成することも可能である。こうすれば、入射光Ａが入射面１３で反射されて光源側へと戻る光を防止することができる。また、反射光Ｂが出射面１４で反射されてプリズム１０の内部に戻る光が抑制される。」
「【００４０】図６に示すように、本実施形態においては、
入射面１３の一部に光学機能面２２が形成されて
発散光を平行光へと変換するコリメートレンズ
半導体レーザ３１からの発散光が入射光Ａとして入射されて光学機能面２２を透過すると、ビームスプリッタ２の内部では平行光となって進行
平行光は反射面１１で反射されて反射光Ｂとして
「
【図６】」
（２）上記図６および段落【００４０】の「平行光は反射面１１で反射されて反射光Ｂとして外部へ出射され」という記載を参照すれば，“反射光Ｂは「１４」から外部へ出射している”ことが読み取れ，段落【００３７】の「出射面１４」という記載を参照すれば，「１４」は，“出射面である”ことが読み取れる。
　よって，図６には，「反射光Ｂが出射面１４から外部へ出射する」ことが記載されている。
（３）したがって，上記引用文献４には，次の発明（以下，「引用発明４」という。）が記載されていると認められる。
「入射面１３の一部に光学機能面２２が形成されており、発散光を平行光へと変換するコリメートレンズであって、半導体レーザ３１からの発散光が入射光Ａとして入射されて光学機能面２２を透過すると、ビームスプリッタ２の内部では平行光となって進行し、平行光は反射面１１で反射されて反射光Ｂとして反射光Ｂが出射面１４から外部へ出射するコリメートレンズ。」
第６　対比・判断
１．本願発明２について
（１）対比
ア　本願発明２と引用発明１とを対比すると，次のことがいえる。
（ア）引用発明１の「バーコード読取装置１」は，本願発明２の「光学的情報読取装置」に対応する。
　引用発明１の「バーコード８」は，数字（「情報」に相当）などのコードを表示したものであるから，本願発明２の「情報コード」に相当する。
　引用発明１の「光学的センサ３６」は，バーコード８からの反射光を受け，光の強弱を表す電気信号として出力するものである。ここで，本願明細書の段落【００２２】の「
受光センサ２３は、
固体撮像素子である受光素子
受光した情報コードの各セル（パターン）ごとに反射光Ｌｒの強度に応じた電気信号を出力するように構成されている
（イ）引用発明１の「読取口２２」は，本願発明２の「読取口」に相当する。
　すでに検討したように，引用発明１の「バーコード８」は本願発明２の「情報コード」に相当するので，引用発明１の「バーコード８によって反射された光」は，本願発明２の「情報コードからの反射光」に相当する。
　引用発明１の「反射ミラー３２」は，バーコード８によって反射された光を反射している。引用発明１において，バーコード８によって反射された光は，防塵プレートからケース１２内に入り，反射ミラー３２で反射されている。また，引用発明１において，防塵プレートは読取口２２の奥に配置され，読取口２２を閉塞している。よって，バーコード８によって反射された光は，読取口２２の奥に配置されている防塵プレートからケース１２内に入って，反射ミラー３２で反射されているので，防塵プレートの先にある「読取口２２を介し」て反射ミラー３２で反射されているといえる。
　また，引用発明１において，反射ミラー３２で反射された光は，結像レンズ３４に入射し，結像レンズ３４を介し，さらにセンサ用ミラー３５で反射されて，光学的センサ３６にて結像される。よって，反射ミラー３２で反射された光は，結像レンズ３４を介して，センサ用ミラー３５で反射されているが，「光学的センサ３６に向け」られているといえる。
　従って，引用発明１の「読取口２２の奥」の「防塵プレートからケース１２内に入」った「バーコード８によって反射された光」を「反射」する「反射ミラー３２」は，下記の点で相違するものの，本願発明２の“読取口を介した情報コードからの反射光を受光センサに向けて反射する反射ミラー”と共通する。
（ウ）引用発明１の「反射ミラー３２で反射され」た「光」は，本願発明２の「反射ミラーにより反射された光」に相当する。
　また，引用発明１の「結像レンズ３４」は，結像させるためのレンズであるので，「集光」しているのは明らかである。
　従って，引用発明１の「反射ミラー３２で反射され」た「光」を「光学的センサ３６にて結像」させる「結像レンズ３４」は，本願発明２の「反射ミラーにより反射された光を集光して受光センサに結像させる結像レンズ」に相当する。
（エ）引用発明１の「ガイド光」は，読取可能範囲を示しているから，本願発明２の「マーカ光」に相当する。すでに検討したように，引用発明１は，「光学的センサ３６」によって「撮像」している。そして，引用発明１の光学的センサ３６は，「撮像」したデータをデータ処理出力ユニット側に出力している。そして，引用発明１では，このデータを「読み取り」データと呼んでいるから，「撮像」は「読み取り（読取）」を意味しているといえる。よって、引用発明１の「読取可能範囲」は本願発明２の「撮像範囲」に相当する。
　従って，引用発明１の「読取可能範囲を示すライン状のガイド光」を「照射」する「レーザダイオード３０」，「レーザダイオードミラー５２」および「ガイド光照射用レンズ５０」は，下記の点で相違するものの，本願発明２の“受光センサによる撮像範囲を示すためのマーカ光を照射するマーカ光照射部”と共通する。
イ　上記（ア）−（エ）の検討内容を踏まえると，本願発明２と引用発明１との間には，次の一致点，相違点があるといえる。
（一致点）
「情報コードを撮像可能な受光センサと、
　読取口を介した前記情報コードからの反射光を前記受光センサに向けて反射する反射ミラーと、
　前記反射ミラーにより反射された光を集光して前記受光センサに結像させる結像レンズと、
　前記受光センサによる撮像範囲を示すためのマーカ光を照射するマーカ光照射部と、
　を備えることを特徴とする光学的情報読取装置。」
（相違点）
（相違点１）
　本願発明２は，マーカ光が，「撮像範囲の中心」を示すのに対して，引用発明１は，ガイド光が，読取可能範囲の中心を示していない点。
（相違点２）
　本願発明２は，マーカ光照射部が，「読取口に対して」「反射ミラーよりも離れた位置に設けられて、」「マーカ光の光軸が」「受光センサによる撮像範囲の中心となる光軸に対して平行であって、前記マーカ光が前記反射ミラーの周囲から当該反射ミラーの外縁に向かって近づくように配置される」のに対して，引用発明１は，レーザダイオード３０の，読取口２２，反射ミラー３２およびセンサ光軸に対しての配置が明確に記載されていない点。
（相違点３）
　本願発明２は，反射ミラーが，「受光センサの直上に配置される」のに対して，引用発明１は，反射ミラー３２の，受光センサ３６に対しての配置が明確に記載されていない点。
（２）相違点についての判断
ア　事案に鑑みて，まず相違点２について先に検討する。
　本願発明２は，マーカ光照射部が，「マーカ光が反射ミラーの周囲から当該反射ミラーの外縁に向かって近づくように配置され」ている。
　一方，引用発明１は，ガイド光を反射ミラー３２で反射させている。そのため，もし，レーザダイオード３０，レーザダイオードミラー５２およびガイド光照射用レンズ５０を，ガイド光が反射ミラー３２の周囲から当該反射ミラー３２の外縁に向かって近づくように配置すると，ガイド光が反射ミラー３２に当たらず，ガイド光をバーコードＢに照射させることができなくなってしまう。よって，引用発明１において，レーザダイオード３０，レーザダイオードミラー５２およびガイド光照射用レンズ５０を，ガイド光が反射ミラー３２の周囲から反射ミラー３２の外縁に向かって近づくように構成するには阻害要因がある。
　また，上記の点は，引用発明１に引用発明２を適用したとしても，上記相違点２に係る構成を見いだすことはできない。
イ　したがって，上記その余の相違点について判断するまでもなく，本願発明２は，当業者であっても，引用発明１及び引用発明２に基づいて容易に発明できたものであるとはいえない。
２．本願発明３−４について
　本願発明３−４は，本願発明２を直接・間接に引用するものであり，上記相違点３に係る構成と同一の構成を備えるものであるから，本願発明２と同じ理由により，当業者であっても，引用発明１及び引用発明２に基づいて容易に発明できたものとはいえない。
３．本願発明５について
（１）対比
ア　本願発明５と引用発明３とを対比すると，次のことがいえる。
（ア）引用発明３の「バーコードリーダ」は，本願発明５の「光学的情報読取装置」に対応する。
　また，上記１．（１）（ア）で既に検討したように，「バーコード」は「情報コード」といえるから，引用発明３の「バーコードＢ」は，本願発明５の「情報コード」に相当する。
　従って，引用発明３の「一次元コードとしてのバーコード」を「撮像」「してバーコードＢを読取る」「受光光学系１４」の「受光センサ１９」は，下記の点で相違するものの，本願発明５の“情報コードを撮像可能なセンサとして構成される受光センサ”と共通する。
（イ）上記１．（１）（ウ）で既に検討したように，結像レンズが集光しているのは明らかであるので，引用発明３の「バーコードＢからの反射光」を「受光センサ１９上に結像さ」せる「結像光学素子２０」の「結像レンズ」は，本願発明５の「情報コードからの反射光を集光して受光センサに結像させる結像レンズ」に相当する。
（ウ）上記１．（１）（エ）で既に検討したように，センサによるバーコードの「読取」は「撮像」を意味するといえるから，引用発明３の「受光センサ１９」による「読取幅」の「中央部」「を示す」「マーカ光Ｍ’」「を照射する」「マーカ光学系４１」の「マーカ光源４３」は，本願発明５の「受光センサによる撮像範囲の中心を示すためのマーカ光を照射するマーカ光照射部」に相当する。
（エ）引用発明３の「プリズム４４」は，マーカ光源４３から発せられたレーザ光Ｌを反射面によって「前方」に向けて直角に折曲げている。また，引用発明３のマーカ光は「前方」の「読取対象」に照射されるものであるところ，「読取」は「撮像」を意味する。
　従って，引用発明３の「マーカ光源４３から発せられたレーザ光Ｌ」を「反射面によって」「前方に向けて直角に折曲げ」る「プリズム４４」は，下記の点で相違するものの，本願発明５の“マーカ光照射部から照射されたマーカ光を受光センサによる撮像範囲に向けて反射する反射素子”と共通する。
イ　上記（ア）−（エ）の検討内容を踏まえると，本願発明５と引用発明３との間には，次の一致点，相違点があるといえる。
（一致点）
「情報コードを撮像可能なセンサとして構成される受光センサと、
　前記情報コードからの反射光を集光して前記受光センサに結像させる結像レンズと、
　前記受光センサによる撮像範囲の中心を示すためのマーカ光を照射するマーカ光照射部と、
　前記マーカ光照射部から照射された前記マーカ光を前記受光センサによる撮像範囲に向けて反射する反射素子と、
　を備える光学的情報読取装置」
（相違点）
（相違点４）
　受光センサに関して，本願発明５は，「情報コードを二次元的に撮像可能なエリアセンサとして構成される受光センサ」であるのに対して，引用発明３は，「一次元コードとしてのバーコードＢ」を「撮像」「してバーコードＢを読取る」「受光光学系１４」の「受光センサ１９」である点。
（相違点５）
　本願発明５は，「反射素子は、反射した」「マーカ光の光軸と」「受光センサによる撮像範囲の中心となる光軸とが近づくように、前記受光センサの撮像範囲外であって」「結像レンズに近づけられ、かつ、前記結像レンズよりも」「情報コードに近くなる位置に配置される」ものであるのに対して，引用発明３は，プリズム４４のマーカ光Ｍ’の光軸，受光センサ１９による撮像範囲の中心，結像レンズおよびバーコードＢに対しての配置が明確でない点。
（２）相違点についての判断
ア　事案に鑑みて，まず相違点５について先に検討する。
　引用発明３は，帯状のマーカ光Ｍにおけるプリズム４４の配置について記載されている。しかし，点状のマーカＭ’におけるプリズム４４の配置については記載されていないので，プリズム４４の配置について，反射したマーカ光Ｍ’の光軸と受光センサ１９による撮像範囲の中心となって近づくように，前記受光センサ１９の撮像範囲外であって結像レンズに近づけられ，かつ，前記結像レンズよりもバーコードＢに近くなる位置にすることは，当業者が容易に為し得たことではない。
　また，上記の点は，引用発明３に引用発明４を適用したとしても，上記相違点５に係る構成を見いだすことはできない。
イ　したがって，上記その余の相違点について判断するまでもなく，本願発明５は，当業者であっても，引用発明３及び引用発明４に基づいて容易に発明できたものであるとはいえない。
４．本願発明６−８について
　本願発明６−８は，本願発明５を直接・間接に引用するものであり，上記相違点５に係る構成と同一の構成を備えるものであるから，本願発明５と同じ理由により，当業者であっても，引用発明３及び引用発明４に基づいて容易に発明できたものとはいえない。
第７　原査定について
１．理由１（特許法第２９条第２項）について
ア　本願発明２−４は「マーカ光照射部は」，「前記マーカ光の光軸が前記受光センサによる撮像範囲の中心となる光軸に対して平行であって、前記マーカ光が前記反射ミラーの周囲から当該反射ミラーの外縁に向かって近づくように配置され」という事項を有するものとなっており，当業者であっても，拒絶査定において引用された引用文献１及び引用文献２に基づいて，容易に発明できたものとはいえない。
イ　本願発明５−８は「反射素子は」，「反射した前記マーカ光の光軸と前記受光センサによる撮像範囲の中心となる光軸とが平行となって近づくように、前記受光センサの撮像範囲外であって前記結像レンズに近づけられ、かつ、前記結像レンズよりも前記情報コードに近くなる位置に配置され」という事項を有するものとなっており，当業者であっても，拒絶査定において引用された引用文献３及び引用文献４に基づいて，容易に発明できたものとはいえない。
ウ　したがって，原査定の理由１を維持することはできない。
第８　むすび
　以上の通り，原査定の理由によっては，本願を拒絶することはできない。
　また，他に本願を拒絶すべき理由を発見しない。
　よって，結論の通り審決する。